(57)【要約】【課題】閉扉時に衝撃や振動を抑えることができる扉機構を提供する。【解決手段】扉１０５を開口縁１００に閉扉した状態で保持する閉扉手段１０８を有する扉機構１１０であって、閉扉手段１０８は、扉１０５の裏面に配置される被係止部１５８と、被係止部１５８に係止可能な係止部１８０と、該係止部１８０を後方に引き込む駆動機構１８１と、を備え、扉１０５と開口縁１００とが近接し、係止部１８０と被係止部１５８とが係止可能となった第一保持位置Ｘ１１と、その位置から駆動機構１８１が係止部１８０と被係止部１５８とが係止した状態で扉１０５を後方に引き込んだ第二保持位置Ｘ１２と、を有する。【選択図】図１
2020066884.tif 000002
【特許請求の範囲】
【請求項１】
扉を開口縁に閉扉した状態で保持する閉扉手段を有する扉機構であって、
前記閉扉手段は、前記扉の裏面に配置される被係止部と、前記被係止部に係止可能な係止部と、該係止部を後方に引き込む駆動機構と、を備え、前記扉と前記開口縁とが近接し、前記係止部と前記被係止部とが係止可能となった第一保持位置と、その位置から前記駆動機構が前記係止部と前記被係止部とが係止した状態で前記扉を後方に引き込んだ第二保持位置と、を有することを特徴とする扉機構。
【請求項２】
前記扉機構は、前記第一保持位置で前記扉を前記開口縁に仮固定できる仮固定手段を備えることを特徴とする請求項１に記載の扉機構。
【請求項３】
前記仮固定手段は、マグネットキャッチであることを特徴とする請求項２に記載の扉機構。
【請求項４】
前記駆動機構は、一連の動きによって前記係止部を前記被係止部に係止するとともに、前記扉を後方に引き込ませる機構であることを特徴とする請求項１ないし３のいずれかに記載の扉機構。
【請求項５】
前記駆動機構は、前記扉と平行に配置され左右方向に延びる回動軸と、該回動軸の回動に連動し前記係止部を前記被係止部に係止できる係止アームと、を備え、前記係止アームは、前記回動軸上を互いに離間して複数配置されていることを特徴とする請求項１ないし４のいずれかに記載の扉機構。
【請求項６】
前記係止部は、先端にローラを有していることを特徴とする請求項１ないし５のいずれかに記載の扉機構。
【発明の詳細な説明】
【技術分野】
【０００１】
本発明は、扉機構に関する。
【背景技術】
【０００２】
扉機構は、建物や自動車、鉄道車両、航空機等の乗り物の出入口のほか、収納用の家具等にも用いられ、その用途は多岐に亘っている。扉機構は、扉を閉まった状態とすることで空間を仕切る機能を有し、例えばマグネットキャッチやローラキャッチ等のようなドアキャッチを用いることで、扉が閉まった状態を持続できるようになっている。
【０００３】
扉機構の中でも、扉により区切られた空間内において高い気密性が求められる物がある。例えば、美術館や博物館の展示スペースにおいて美術品や文化財（以下、「美術品等」という）を展示する行灯型の展示ケースに用いられる扉機構には、美術品等の長期的保存の観点から、美術品等を湿気の変化や虫食い等から守ることは不可欠であり、そのために展示ケース内の気密性を確保することが要求されている。
【０００４】
このような、展示ケースの扉機構の一例として特許文献１に示されるように、正面が開口を有する略箱状を成す本体と、該本体の開口を塞ぐ扉と、本体の開口縁に設けられたガスケットと、が備えられた扉機構が知られている。扉機構にはロック装置が備えられており、扉を前方から押すことで扉の裏側に備えられた環（被係止部）を、トーションバネにより付勢されたロックレバーに対してバネ力に抗して所定の位置まで移動させて、扉をロックするようになっている。
【０００５】
このような扉機構を用いた展示ケースにあっては、ガスケットを押圧して潰した状態で扉をロック装置によりロックすることで、長期に亘り展示ケース内の気密性を確保することができる。
【先行技術文献】
【特許文献】
【０００６】
【特許文献１】特開２０００−１６０９２１号公報（第４頁、第６図）
【０００７】
しかしながら、特許文献１の扉機構は、閉扉時に扉を移動させて扉をロックさせる際、ガスケットを潰しながら、ロック装置のバネ力に抗して扉を後方に押さなければならない構造であるため、ロックがかかった直後バネ力がなくなり、瞬間的に扉に作用する力のバランスが崩れ、略後方への力のみとなって扉が展示ケースの開口縁に衝突して衝撃を与え、展示ケース本体に騒音や振動が発生し、本体内に展示された美術品等が転倒により破損してしまう虞があった。
【発明の概要】
【発明が解決しようとする課題】
【０００８】
本発明は、このような問題点に着目してなされたもので、閉扉時に衝撃や振動を抑えることができる扉機構を提供することを目的とする。
【課題を解決するための手段】
【０００９】
前記課題を解決するために、本発明の扉機構は、
扉を開口縁に閉扉した状態で保持する閉扉手段を有する扉機構であって、
前記閉扉手段は、前記扉の裏面に配置される被係止部と、前記被係止部に係止可能な係止部と、該係止部を後方に引き込む駆動機構と、を備え、前記扉と前記開口縁とが近接し、前記係止部と前記被係止部とが係止可能となった第一保持位置と、その位置から前記駆動機構が前記係止部と前記被係止部とが係止した状態で前記扉を後方に引き込んだ第二保持位置と、を有することを特徴としている。
この特徴によれば、第一保持位置から駆動機構により扉を裏面から開口側に引き込むことができるため、扉が開口縁に近接した位置で一旦規制されてから閉扉することで、扉が開口縁に与える衝撃を抑え、閉扉時に騒音や振動を抑えることができる。
【００１０】
前記扉機構は、前記第一保持位置で前記扉を前記開口縁に仮固定できる仮固定手段を備えることを特徴としている。
この特徴によれば、扉が開口に近接した位置に規制できるので、係止部を被係止部に確実に係止できる。
【００１１】
前記仮固定手段は、マグネットキャッチであることを特徴としている。
この特徴によれば、扉を開口に近づけるだけで容易に扉を第一保持位置に規制できるので、係止部を被係止部に容易に係止できる。
【００１２】
前記駆動機構は、一連の動きによって前記係止部を前記被係止部に係止するとともに、前記扉を後方に引き込ませる機構であることを特徴としている。
この特徴によれば、係止と引き込みを一連の動きで行うことができるので、閉扉の操作を容易にできる。
【００１３】
前記駆動機構は、前記扉と平行に配置され左右方向に延びる回動軸と、該回動軸の回動に連動し前記係止部を前記被係止部に係止できる係止アームと、を備え、前記係止アームは、前記回動軸上を互いに離間して複数配置されていることを特徴としている。
この特徴によれば、回動軸上の複数箇所にある係止アームを同時に作用できるため、扉を開口縁に対し平行に引き込むことができる。
【００１４】
前記係止部は、先端にローラを有していることを特徴としている。
この特徴によれば、係止部が被係止部に対して係止着脱しやすいため、扉の開閉をスムーズに行える。
【図面の簡単な説明】
【００１５】
【図１】本発明の実施の形態における扉機構を模式的に示す側面図であり、（ａ）は第一保持位置の状態を示すものであり、（ｂ）は第一保持位置から扉が引き込まれる途中の状態示すものであり、（ｃ）は第二保持位置の状態を示すものである。
【図２】本発明の実施例１における扉機構が採用された展示ケースを示す斜視図である。
【図３】展示ケースの扉を開放した状態を一部欠いて示す斜視図である。
【図４】展示ケースの分解斜視図である。
【図５】閉扉手段を示した斜視図である。
【図６】基礎筐体を示した平面図である。
【図７】（ａ）〜（ｃ）は、閉扉の動作について、一部省略して基礎筐体を拡大して示した側面図である。
【図８】本発明の実施例２における扉機構が採用された展示ケースの閉扉手段を示した斜視図である。
【図９】（ａ），（ｂ）は、閉扉の動作について、一部省略して基礎筐体を示した側面図である。
【発明を実施するための形態】
【００１６】
本発明に係る扉機構を実施するための形態を説明する。
【実施の形態】
【００１７】
本発明の実施の形態に係る扉機構につき、図１を参照して説明する。
【００１８】
図１に示されるように、扉機構１１０の閉扉手段１０８は、開口縁１００を閉扉可能な扉１０５と、扉１０５の裏面に配置される被係止部１５８と、該被係止部１５８に係止可能な係止部１８０と、該係止部１８０を後方に引き込む駆動機構１８１と、を備えている。また、扉１０５は第一保持位置Ｘ１１において扉１０５と開口縁１００とが近接し、係止部１８０と被係止部１５８とが係止可能となっており（図１（ａ））、係止部１８０と被係止部１５８とが係止した状態で駆動機構１８１を駆動することで扉１０５を第一保持位置Ｘ１１から第二保持位置Ｘ１２まで後方に引き込み可能となっており（図１（ｂ））、係止部１８０は第二保持位置Ｘ１２まで引き込まれた扉１０５を第二保持位置Ｘ１２で維持し閉扉状態とできるようになっている（図１（ｃ））。
【００１９】
扉１０５を開口縁１００に近接した第一保持位置Ｘ１１で一旦停止させて係止部１８０と被係止部１５８とが係止させ、その後駆動機構１８１により引き込むものであるから、扉１０５が開口縁１００に与える衝撃を抑え、閉扉時に騒音や振動を抑えることができる。
【００２０】
上述したように、扉機構１１０は、閉扉手段１０８を用いて扉１０５を閉扉できる構成であれば様々な装置に適用することができる。その具体例として、本発明に係る展示ケースに適用した扉機構を実施例に基づいて以下に説明する。
【実施例１】
【００２１】
実施例１に係る扉機構につき、図２から図７を参照して説明する。以下、図２の紙面右下側及び図７の紙面右方向を扉機構の正面側（前方側）とし、その前方側から見たときの上下左右方向を基準として説明する。
【００２２】
本実施例に係る扉機構１０（図３参照）は、美術館や博物館の展示スペースにおいて美術品等を展示する行灯型の展示ケース１に使用されている。展示ケース１は、図２に示されるように、扉５が閉鎖された状態では、展示ケース１の隙間を密封して展示筐体４内部の気密性を高めることで展示ケース内の湿度を一定に保ち、外気に含まれる汚染物質の侵入を防止して、展示品の劣化を抑制できるようになっているとともに、図３に示されるように、扉５が開放された状態では、扉５が側壁３５の外側へ沿った位置に配置されているため、展示品の出し入れや展示品のメンテナンスを容易に行うことができるようになっている。
【００２３】
図２〜図４に示されるように、展示ケース１は、前方側に開口３Ａを有する箱状の基礎筐体３上に開口４Ａを有する箱状の展示筐体４が連結されて構成される本体２と、基礎筐体３の開口３Ａ及び展示筐体４の開口４Ａを閉鎖可能な扉５（扉機構１０）と、本体２に固定され扉５を開閉動作可能に連結される支持アーム機構６及び案内アーム機構７と、から主に構成されている。支持アーム機構６及び案内アーム機構７は、両端部それぞれに蝶番を備えたいわゆる二軸蝶番構造とされており、扉５が開放された状態において扉５を基礎筐体３の側壁３５の外側に沿った状態で配置可能となっている。
【００２４】
まず、図４を用いて、基礎筐体３について説明する。基礎筐体３は、直方体状のフレーム３０の右側面、後側面、左側面にそれぞれ側壁３５，３６，３７が固定され、上側面に気密板３９が固定され、気密板３９の中央付近に載置台３８が固定されることによって構成されている。側壁３７は下端を軸として上端を左側に向かって開放する構造となっている（図３参照）。
【００２５】
フレーム３０は、左右方向に延びる前後一対の幅杆部材３０ａ，３０ａと前後方向に延びる左右一対の奥行杆部材３０ｂ，３０ｂとが連結された平面視正方形状の四方枠を２つ形成し、これら２つの四方枠を上下方向に離間配置して、上下方向に対向する各角部同士が上下方向に延びる縦杆部材３０ｃ，３０ｃ，３０ｃ，３０ｃで連結して形成されている。また、前方側上下の幅杆部材３０ａ，３０ａと前方側左右の縦杆部材３０ｃ，３０ｃとによって開口縁３０ｆ（扉機構１０）が形成され、開口縁３０ｆは開口３Ａを画成している。
【００２６】
また、フレーム３０の下方側の四方枠内には、左右方向中央部に前後方向に延びる中央奥行杆部材３０ｄが渡設されており、この中央奥行杆部材３０ｄと左右それぞれの奥行杆部材３０ｂとの間における前後方向中央部に左右方向に延びる中央幅杆部材３０ｅが渡設されている。これらにより、フレーム３０の構造強度が高められている。
【００２７】
また、基礎筐体３は、閉扉手段８（扉機構１０）及び扉５をマグネットに着磁させて仮固定位置（第一保持位置Ｘ１（図７））に保持するマグネットキャッチ９を備えている。閉扉手段８は、側壁３７を開放して嵌合されたハンドル８４が操作されることで、仮固定位置の扉５を閉鎖位置（第二保持位置Ｘ２（図７））に引き込むものである。また、マグネットキャッチ９は、内部に図示しない付勢手段としてのコイルバネを備えており、開扉状態においてコイルバネに押し出されてマグネットキャッチ９の頭部の前端面が後述するパッキンＰの前端面と略同一平面上に配置されている。
【００２８】
次に、図２〜図４を用いて、展示筐体４について説明する。展示筐体４は、側面視長方形状のガラス側板４１，４２，４３、平面視正方形状のガラス天板４８、及び基礎筐体３の気密板３９の縁部同士を、図示しないコーキング剤によって気密に固着して構成されており、ガラス側板４１，４３の前端面は、気密板３９の前端面と略同一平面を成している（図３参照）。また、展示筐体４の開口４Ａは、ガラス天板４８、左右一対のガラス側板４１，４３及びフレーム３０の前方側上方の幅杆部材３０ａの前端部によって開口縁４０（扉機構１０）が形成され、開口縁４０は開口４Ａを画成している。
【００２９】
また、本体２には、図３に示されるように、開口縁４０に沿ってパッキンＰが接着剤で固着されている。
【００３０】
次に、扉５について説明する。図４を参照して、扉５は、金属製の薄板の両側端部を折り曲げて平面視Ｃ字状に形成された側壁５５のスリットに上方から挿入した側面視長方形状のガラス側板５０と、側壁５５の内面側にて当該側壁５５の前端面と対向配置される薄板状の支持板材５６と、側壁５５とをコーキング剤で固着することにより形成されている。尚、説明の都合上、扉５の開閉操作時における案内アーム機構７よりも支持アーム機構６側を内径側として、側壁３５側の扉５の側端部（右側端部）を内径側端部５Ｒ、反対側の側端部（左側端部）を外径側端部５Ｌとする。
【００３１】
側壁５５は、金属の薄板を板金加工して側面視長方形状の板状に形成されている。支持板材５６は、着磁性を有する金属の薄板であり、その内面側には、外径側端部５Ｌ側の下端部から内面側に突出し、案内アーム機構７が取り付けられるプレート状の扉側取付部材５１が固定されている。また、支持板材５６の内面側には、閉扉手段８の係止部８０，８０を係止可能に位置合わせされた被係止部５８，５８が固定されている。尚、扉側取付部材５１はプレート状に限らず、ブロック状やフレーム状であってもよく、その形状が限定されるものではない。
【００３２】
次に、図４，図５を用いて、閉扉手段８について説明する。尚、以後説明の便宜上、左右略同一を成す部材については、特に断らない限り、一方についてのみ説明する。閉扉手段８は、被係止部５８と、係止部８０と、該係止部８０を後方に引き込む駆動機構８１と、を備えている。閉扉時において、閉扉手段８は、扉５の支持板材５６の内面及び内面付近に配置される。
【００３３】
被係止部５８は、金属板を折曲げ加工により平面視ハット状に形成された部材であり、その脚部５８ｂ，５８ｂが扉５の支持板材５６の内面側から扉５に固定されている。また、被係止部５８の頭部５８ａの裏面には、上方から中間の頂点部分５８ｄにかけて傾斜面５８ｅが形成され頂点部分５８ｄから下方にかけて傾斜面５８ｆが形成され下端に略水平方向に延びる下端面５８ｇが形成された山型部材５８ｃが固定されている。後述するように山型部材５８ｃは係止部８０のローラ８０ａの下方移動を規制でき、扉５の閉扉状態を持続できるようになっている。
【００３４】
係止部８０は、後述する駆動機構８１の係止アーム８３の先端部に設けられている。また、係止部８０は、棒状部８３ｃの上端部においてピン留め固定された円柱胴体８０ｂと、該円柱胴体８０ｂの先端に左右方向に延びる軸に回動可能に取り付けられた一対のローラ８０ａ，８０ａと、を備えている。係止部８０がローラ８０ａ，８０ａを有することから、係止部８０が被係止部５８の山型部材５８ｃの傾斜面５８ｅ，５８ｆ上を滑らかに上方または下方に移動でき、被係止部５８に対して係止着脱しやすくなっている。
【００３５】
駆動機構８１は、扉５と平行に配置され左右方向に延びる回動軸８２と、該回動軸８２の回動に連動し係止部８０を被係止部５８に係止できる係止アーム８３と、回動軸８２の左端に取り付けられ回動軸８２を回動できるハンドル８４と、によって主に構成される。
【００３６】
回動軸８２上には、係止アーム８３が回動軸８２上を互いに離間して２つ配置されていることから、回動軸８２の二箇所にある係止アーム８３，８３を同時に動作させることがきるため、係止部８０を被係止部５８に係止させた状態で扉５を開口縁３０ｆ，４０に対し平行に引き込むことができる。
【００３７】
係止アーム８３は、側面視小判状のリンク板８３ａと、側面視Ｌ字をなすＬ字板８３ｂと、直線状の棒状部８３ｃと、を備えている。リンク板８３ａは、一端は回動軸８２に溶接固定され、他端はＬ字板８３ｂが回動可能に連結されている。Ｌ字板８３ｂの他端の前端部に六角柱部８３ｄが溶接固定されおり、六角柱部８３ｄにはこれよりも小径の上下方向に延びる棒状部８３ｃが固定されている。棒状部８３ｃの上端部は係止部８０となっている。
【００３８】
棒状部８３ｃは、フレーム３０の前方左側の縦杆部材３０ｃ（図４参照）に固定されたガイド部３０ｇに形成され上下方向に貫通するガイド孔３０ｈに遊貫している。これにより、係止アーム８３の回動時に、棒状部８３ｃは回動軸８２の回動に連動して略上下動するようになっている。尚、ハンドル８４を過剰に回すと、円柱胴体８０ｂまたは六角柱部８３ｄがガイド部３０ｇに当接することによって、係止アーム８３の過剰な略上下移動が規制されるようになっている。
【００３９】
側壁３７を開放した状態で、ハンドル８４は回動軸８２の左端に着脱可能となっており、ハンドル８４により回動軸８２を回動可能となっている。また、ハンドル８４は、不使用時には取り外しできるようになっている（図２，３参照）。ハンドル８４を回動軸８２の左端に差し込むことにより、回動軸８２に設けられた図示しないラッチが解除され、回動可能となる。また、ハンドル８４を取り外すとラッチが掛かり、回動軸８２の回動が規制される。
【００４０】
次に、扉機構１０の閉扉動作について図６，図７を用いて説明する。尚、説明の便宜上、基礎筐体３を用いて説明し、図６については説明の便宜上、側壁３７の図示を省略し、支持アーム機構６及び案内アーム機構７を二点鎖線で示している。図７については、側壁３７の図示を省略し、支持アーム機構６及び案内アーム機構７の図示を省略し、基礎筐体３の上方にあるガラス側板４３，５０及びパッキンＰを示している。
【００４１】
開放された状態の扉５（図３参照）を把持し開扉方向へ移動させると、扉５は支持アーム機構６及び案内アーム機構７に支持・案内されて、開口縁３０ｆ，４０の前方の位置Ｘ０へと移動する（図７（ａ）参照）。その位置からさらに扉５を後方に押し込むと、開口縁３０ｆ，４０に近接した位置においてマグネットキャッチ９が支持板材５６に磁気により吸着し、扉５は係止部８０が被係止部５８に係止可能な第一保持位置Ｘ１に仮固定され、移動が規制される（図７（ｂ）参照）。
【００４２】
次いで、ハンドル８４操作により回動軸８２を左側面視反時計回りに回動させることで係止アーム８３が略上方に移動し、係止部８０は被係止部５８に近づいた後、下の傾斜面５８ｆと下端面５８ｇとの角であるエッジ５８ｈに当接して係止された状態となる（図６（ａ），図７（ｂ）参照）。このとき、扉５は第一保持位置Ｘ１にて静止したままである。
【００４３】
この状態から、ハンドル８４操作により回動軸８２をさらに左側面視反時計回りに回すと、棒状部８３ｃはさらに上方に移動しローラ８０ａ，８０ａが傾斜面５８ｆを転がりながら上方へ移動するにつれ、被係止部５８は後方に引き込まれ、扉５は第二保持位置Ｘ２に到達する。このとき、マグネットキャッチ９のコイルバネを押し潰しながら、マグネットキャッチ９の頭部を押し込むとともに、扉５と開口縁４０との間に設置されたパッキンＰを潰しながら扉５は引き込まれるため、展示ケース１内の気密性を保つことができる。そして、ローラ８０ａ，８０ａが頂点部分５８ｄを越えると（図６（ｂ），図７（ｃ）参照）、上方の傾斜面５８ｅによりローラ８０ａ，８０ａの下方への移動が規制されるようになっており、扉５は閉扉状態を持続できるようになっている。さらに、ハンドル８４を取り外すと回動軸８２にラッチが掛かり、回動軸８２の回動が規制され、扉５は閉扉状態を強固に持続できるようになっている。
【００４４】
尚、扉５の閉扉状態を解除するには、ハンドル８４操作により回動軸８２を左側面視時計回りに回せばよい。これに伴い、マグネットキャッチ９の頭部は、コイルバネにより押し出されてパッキンＰの前端面と略同一平面上に配置される。
【００４５】
以上説明したように、第一保持位置Ｘ１から駆動機構８１により扉５を裏面から開口３Ａ，４Ａ側に引き込むことができるため、扉５が開口縁３０ｆ，４０に近接した位置で一旦規制されてから閉扉することで、扉５が開口縁３０ｆ，４０に与える衝撃を抑え、閉扉時に騒音や振動を抑えることができる。
【００４６】
扉機構１０は、第一保持位置Ｘ１で扉５を開口縁３０ｆ，４０に仮固定できる仮固定手段を備えることから、扉５が開口縁３０ｆ，４０に近接した位置に規制できるので、係止部８０を被係止部５８に確実に係止できる。
【００４７】
また、仮固定手段がマグネットキャッチ９であることから、扉５を開口３Ａ，４Ａに近づけるだけで容易に扉５を第一保持位置Ｘ１に規制できるので、係止部８０を被係止部５８に容易に係止できる。
【００４８】
また、駆動機構８１は、一連の動きによって係止部８０を被係止部５８に係止するとともに、扉５を後方に引き込ませる機構であることから、係止と引き込みを一連の動きで行うことができるので、閉扉の操作を容易にできる。
【００４９】
また、駆動機構８１は、扉５と平行に配置され左右方向に延びる回動軸８２と、該回動軸８２の回動に連動し係止部８０を被係止部５８に係止できる係止アーム８３と、を備え、係止アーム８３は、回動軸８２上を互いに離間して２つ配置されていることから、回動軸上の二箇所にある係止アーム８３を同時に作用できるため、扉５を開口縁３０ｆ，４０に対し平行に引き込むことができる。
【００５０】
また、係止部８０は、先端にローラ８０ａ，８０ａを有していることから、係止部８０が被係止部５８に対して係止着脱しやすいため、扉５の開閉をスムーズに行える。
【００５１】
尚、被係止部５８の山型部材５８ｃに当接させつつ係止部８０を上方に移動させることで、被係止部５８を後方に引き込ませる例について説明したが、変形例として、回動軸８２の回動に伴い係止アーム８３を前後方向に傾く構成として係止部８０により被係止部５８を後方に引き込ませるものであってもよい。
【実施例２】
【００５２】
実施例２に係る扉機構につき、図８，９を参照して説明する。なお、前記実施例に示される構成部分と同一のものについては、同一符号を付して重複する説明を省略する。
【００５３】
図８に示されるように、閉扉手段８’は、被係止部５８’と係止部８０と駆動機構８１’とを備えている。被係止部５８’は、金属板を折曲げ加工により平面視ハット状に形成された部材であり、その脚部５８’ｂ，５８’ｂが扉５の支持板材５６の内面側から固定されている。また、被係止部５８’の頭部５８’ａの下端部の略中央には倒立Ｕ字状の凹部５８’ｃが形成され、凹部５８’ｃの左右には一対の下端縁５８’ｇ，５８’ｇが形成されている。
【００５４】
駆動機構８１’は、回動軸８２と係止アーム８３’とハンドル８４とによって主に構成される。係止アーム８３は、固定部８３’ａと、直線状の棒状部８３’ｃと、を備えている。固定部８３’ａは、一端は回動軸８２にネジ固定され、他端は棒状部８３’ｃが溶接固定されていることから、回動軸８２の回動と連動して係止アーム８３’は回動軸８２を軸として回転運動する。棒状部８３’ｃの前端部は係止部８０となっている。
【００５５】
次に、扉機構１０の閉扉動作について説明する。図９（ａ）に示されるように、扉５は、第一保持位置Ｘ１においてマグネットキャッチ９により仮固定され、係止部８０が被係止部５８’に係止可能な状態にあるとき、ハンドル８４の操作により回動軸８２を左側面視反時計回りに回動させることで係止アーム８３’が連動して円運動し、係止部８０は被係止部５８’に略下方より近づいた後、一対のローラ８２ａ，８２ａが一対の下端縁５８’ｇ，５８’ｇに当接して係止された状態となる（図９（ａ）参照）。このとき、扉５は第一保持位置Ｘ１にて静止したままである。
【００５６】
この状態から、ハンドル８４操作により回動軸８２をさらに左側面視反時計回りに回すと、ローラ８２ａ，８２ａは下端縁５８’ｇ，５８’ｇを転がりながらさらに上方へと移動するにつれ、被係止部５８’は後方に引き込まれ、扉５は第二保持位置Ｘ２に到達する。このとき、扉５と開口縁４０との間に設置されたパッキンＰを潰しながら扉５は引き込まれるため、展示ケース１内の気密性を保つことができる。そして、円柱胴体８０ｂは凹部５８’ｃに当接し、係止アーム８３’の上方移動を規制される（図９（ｂ）参照）。尚、扉５の閉扉状態を解除するには、ハンドル８４操作により回動軸８２を左側面視時計回りに回せばよい。
【００５７】
以上、本発明の実施例を図面により説明してきたが、具体的な構成はこれら実施例に限られるものではなく、本発明の要旨を逸脱しない範囲における変更や追加があっても本発明に含まれる。
【００５８】
例えば、係止部８０は先端にローラ８０ａ，８０ａを有するとしたが、これに限らず、例えば先端に楔状部材を有する係止部とし、該楔状部材を平面視ハット状の被係止部に係止させながら被係止部を後方に引き込むようにしてもよい。
【００５９】
また、仮固定手段は付勢手段を備えるマグネットキャッチ９であると説明したが、これに限らず、付勢手段は板バネ等であってもよく、付勢手段を備えていなくてもよく、マグネットキャッチはローラキャッチ、ボールキャッチであってよい。また、係止部のローラが永久磁石によりできており、ローラが仮固定手段としての機能を有してもよい。
【００６０】
また、係止アームは２つあり、回動軸８２上を互いに離間して二箇所に配置されていると説明したが、これに限らず、係止アームの数が１または３以上であってもよく、回動軸８２上の配置も任意でよい。
【００６１】
また、ハンドル８４は左方の側壁３７側に取り付けられていると説明したが、これに限らず、右方の側壁３５側や後方の側壁３６側であってもよい。
【００６２】
また、ハンドル８４の回動操作により係止部８０を移動させることで被係止部５８，５８’に係止させて扉５を閉扉するとともに、ハンドル８４を反対方向に回動操作することにより閉扉状態を解除できる例について説明したが、これに限らず、ハンドルを外すと閉扉し、ハンドルを付けると閉扉状態が解除される構造でもよい。或いは、ボタン操作や遠隔操作のように、ハンドル以外の手段により扉の閉扉について操作できる構造であってもよい。
【００６３】
また、パッキンＰは開口縁４０に接着固定されていると説明したが、これに限らず、扉側に接着固定されていてもよく、或いはパッキンがなくてもよい。
【００６４】
また、展示ケース１は平面視正方形を成すと説明したが、これに限らず、例えば平面視において直角三角形や八角形、半円等を成していてもよい。
【００６５】
また、展示筐体４は閉扉時にガラス側板４１，４２，４３とガラス天板４８と扉５のガラス側板５０によって囲まれると説明したが、これに限らず、例えばアクリル板のような透光性を有する板でもよく、或いは一部を透光性のない板や光の反射性のある板にしてもよい。
【００６６】
１            展示ケース
３            基礎筐体
３Ａ          開口
３０ｆ        開口縁
４            展示筐体
４Ａ          開口
４０          開口縁
５            扉
８，８’      閉扉手段
１０          扉機構
５８，５８’  被係止部
８０          係止部
８１，８１’  駆動機構
８２          回動軸
８３，８３’  係止アーム
８４          ハンドル
１００        開口縁
１０５        扉
１０８        閉扉手段
１１０        扉機構
１５８        被係止部
１８０        係止部
１８１        駆動機構
Ｐ            パッキン
Ｘ１          第一保持位置
Ｘ２          第二保持位置
Ｘ１１        第一保持位置
Ｘ１２        第二保持位置
【図１】
2020066884.tif 000003
【図２】
2020066884.tif 000004
【図３】
2020066884.tif 000005
【図４】
2020066884.tif 000006
【図５】
2020066884.tif 000007
【図６】
2020066884.tif 000008
【図７】
2020066884.tif 000009
【図８】
2020066884.tif 000010
【図９】
2020066884.tif 000011